【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
中心部に貫通孔が貫設された毛髪保持筒と、中心部に毛髪固着孔が貫設され前記毛髪保持筒の前記貫通孔に押し込み或いは引き抜くことにより着脱自在にした毛髪着脱筒とからなることを特徴とする人毛髪束または人工毛髪束の取付具。
【請求項２】
前記毛髪保持筒と前記毛髪着脱筒の少なくともいずれか一方が弾性材料からなることを特徴とする請求項１に記載の人毛髪束または人工毛髪束の取付具。
【請求項３】
前記弾性材料はシリコンゴムであることを特徴とする請求項１または請求項２に記載の人毛髪束または人工毛髪束の取付具。
【請求項４】
弾性材料からなる毛髪保持筒の中心部に貫設した貫通孔の地肌側に向けられた一端から自毛束を挿通する工程と、弾性材料からなる毛髪着脱筒の内部に貫設された毛髪固着孔に人毛束または人工毛束の一端を固定する工程と、前記毛髪着脱筒を前記貫通孔の自毛束出口側から押し込み前記毛髪保持筒に固定する工程とからなることを特徴とする人毛髪束または人工毛髪束の取付方法。
【手続補正２】
【補正対象書類名】明細書
【補正対象項目名】全文
【補正方法】変更
【補正の内容】
【発明の詳細な説明】
【発明の名称】人毛髪束または人工毛髪束等の取付具およびその取付方法
【技術分野】
【０００１】
本発明の人毛髪束または人工毛髪束等の取付具およびその取付方法は、美容業界ではエクステンションと称されるものであって、いわゆる付け毛の取付具およびその取付方法に関する。本発明においては、人毛髪束には自毛に限らず他人の毛髪を含み、人工毛髪束等には人工毛髪に限らず、革ひも、麻ひも等のほか、ビーズや鳥獣の羽根のような装飾的な効果のあるものであれば、いずれもエクステンションとして採択され得る。
【背景技術】
【０００２】
美容業界でエクステンション（以下ＥＸと略称する。）と称されるこの技術は、人毛あるいは毛髪用繊維を頭髪の地毛に継ぎ足す技法である。このＥＸの技法は、例えばカラフルな毛髪用繊維をメッシュ風に用いるとか、あるいは毛量が少ない顧客に対しては他人の人毛束を増毛して毛髪にボリューム感をつけるために用いられる。そのため、ＥＸはヘアデザインの幅が大幅に拡大できるので、近年確かな流行のきざしがうかがえる。 
【０００３】
従来、ＥＸの付け方には、三つ編み、四つ編み、あるいはチップと称される金属管を用いる方法が用いられている。三つ編みは、適当量に分け取った自毛束に、これに見合った量のＥＸ毛束の中心部を巻き付け、この巻き付け部より先端側のＥＸ毛束と、同じく巻き付け部より手元側のＥＸ毛束と、自毛束とで三つ編みを４〜６回施し、この三つ編み端をゴム糸で固定するものである。
【０００４】
四つ編みは、適当量に分け取った自毛束を二つに分束し、この自毛束の間にＥＸ毛束の中央を挟み、自束毛をクロスさせてＥＸ毛束を締め付ける。次いで、クロスした自束毛を挟んで、ＥＸ毛束の両端をクロスさせ、自束毛を締め付ける。後は二つに分束した自毛束と中央を締め付けたＥＸ毛束とで、適宜の長さの四つ編みを施し、四つ編み端は糸ゴム等で固定する。
【０００５】
チップを用いる方法は、ペンチ、専用ニードルおよびチップと称される押し潰し可能な短い金属管を必要とする。専用ニードルは図５に示すように、柄に取り付けた針金は中間で２本に分岐し、先端に向かって先の尖ったループ（２０）が形成されている。また、このループの一方の根本側は、ループから切り離され、その基端は分岐点に枢着されている。そのためループは一方の根本側がループの外側に向けて開閉自在な開閉部（２２）となっている（図６）参照）。ループそのものは、先端が尖った楕円形をしていて、開閉部（２２）を指で押さえて閉じて扁平にすれば、細い孔の中に自由に貫通することが出来る。
【０００６】
チップを用いる方法の手順は、まずニードルにチップを通し、ループの根本側の開閉部を開いて、自毛束をループの中に取り込む。次に、開閉部を指でおさえてループを細くした状態で、ニードルをチップから引き抜くことにより、ループの中に取り込んだ自毛束がチップの中に通される。続いて、チップの自毛束側からニードルを通し、ループを開いてＥＸ毛束を取り込み、ループを閉じてから自毛束側へニードルを引き抜くと、ＥＸ毛束がチップの中へ引き込まれる。最後はチップの位置を調整し、チップの上下をペンチで潰して自毛束とＥＸ毛束を固定する。
【０００７】
前記のＥＸ毛の付け方のうち、三つ編み法は、四つ編み法に比べて固定力は弱いが、一人で施術できるという利点がある。四つ編み法は三つ編み法に比べて、固定力が強く、太い毛束も可能であるが、一人で施術できないという欠点がある。一方、チップを用いる方法は、手間が少なくて地肌の表面近くに取り付けることができるが、比較的取れやすい欠点がある。
【０００８】
特許文献１は、発明の名称が「毛髪用繊維の取付方法」であるが、前記三つ編み法または四つ編み法の改善に関するものである。すなわち、特許文献１の発明では、自毛束の先端および人工毛髪用繊維束の両端側とで、三つ編みまたは四つ編みで編み合わせ、予め人工毛髪用繊維束から分束した毛束で、編み合わせ部分に巻き付けた後に、その終端を熱融着するものである。
【特許文献１】特許第３３３８４３３号
【発明の開示】
【発明が解決しようとする課題】
【０００９】
前記の如く、チップと称する金属管を使用するＥＸの取付方法は、取付が簡単で施術時間も短いのであるが、耐久力に乏しく三つ編み法が１〜１．５月、四つ編み法が２〜３月であるのに対し、チップを用いる方法では、１週間〜１月である。チップを用いてＥＸ毛束を自毛束に取り付ける方法は、自毛束にＥＸ毛束を固定するため金属製のチップを押し潰すため、どうしても金属製の鋭い角が地肌の近くにできてしまう。そのため、ブラッシングの際に毛髪が引っ掛かりやすく、毛髪に何らかの衝撃が加わったときに、たまたまその部位に先の尖ったチップが存在すると、地肌を傷めるおそれがある。本発明はＥＸの前記のごとき欠点を解決すべくなされたものであって、ＥＸ毛束を自毛束に強固に取付け、しかも耐久性に優れ、地肌を傷めるおそれがない、人工毛髪束の取付具およびその取付方法を提供することを目的とする。
【課題を解決するための手段】
【００１０】
本願請求項１に記載の人工毛髪束取付具の発明は、中心部に貫通孔が貫設された毛髪保持筒と、中心部に毛髪固着孔が貫設され前記毛髪保持筒の前記貫通孔に押し込み或いは引き抜くことにより着脱自在にした毛髪着脱筒とからなることを特徴とする。
【００１１】
本発明の請求項２に記載の人工毛髪束取付具の発明は、請求項１の発明において、前記毛髪保持筒と前記毛髪着脱筒の少なくともいずれか一方が弾性材料からなることを特徴とする。
本願請求項３に記載の人工毛髪束取付具の発明は、請求項１または請求項２に記載の発明において、前記弾性材料はシリコンゴムであることを特徴とする。
【００１２】
本願請求項４に記載の人工毛髪束の取付方法の発明は、弾性材料からなる毛髪保持筒の中心部に貫設した貫通孔の地肌側に向けられた一端から自毛束を挿通する工程と、弾性材料からなる毛髪着脱筒の内部に貫設された毛髪固着孔に人毛束または人工毛束の一端を固定する工程と、前記毛髪着脱筒を前記貫通孔の自毛束出口側から押し込み前記毛髪保持筒に固定する工程とからなることを特徴とする。
【発明の効果】
【００１３】
請求項１の発明においては、毛髪保持筒の中心部に貫通孔が貫設されているので、例えば、ニードルを用いて貫通孔の中に自毛束を挿通できる。
【００１４】
毛髪着脱筒は、中心部に毛髪固着孔が貫設されているので、例えば、ニードルを用いて毛髪固着孔の中に付け毛あるいは人工毛髪束の一端を固着する。この毛髪着脱筒を毛髪保持筒の貫通孔に押し込むと、自毛束は貫通孔と毛髪着脱筒の間に挟まれると共に、人工毛髪束が毛髪着脱筒を介して毛髪保持筒に取り付けられる。この毛髪着脱筒は着脱自在であって、強く引っ張ることにより毛髪保持筒の貫通孔から引き抜くことができる。
【００１５】
このように本願発明の人工毛髪束の取付具は、従来のＥＸと比較して容易に取り付け取り外しができる。そして髪そのものに対しても、接着剤、固定金具やアイロン等の加熱器具を用いないので、取付負担がかからず、安全性に優れている。
【００１６】
本願請求項４に記載の人工毛髪束の取付方法の発明は、弾性材料からなる毛髪保持筒の中心部に貫設した貫通孔の地肌側に向けられた一端から自毛束を挿通する工程により、自毛束が毛髪保持筒の貫通孔に取り込まれる。弾性材料からなる毛髪着脱筒の内部に貫設された毛髪固着孔に人工毛髪束の一端を固定する工程により、人工毛髪束の一端が毛髪着脱筒の中に貫設された毛髪固着孔に固定される。次いで、毛髪着脱筒を毛髪保持筒の貫通孔の自毛束出口側から押し込む工程により、毛髪保持筒に毛髪着脱筒を着脱自在に固定することができる。
【発明を実施するための最良の形態】
【００１７】
本発明の好適な実施の形態を以下図面に従って説明する。図１は毛髪保持筒１０と毛髪着脱筒１２の縦断面図である。毛髪保持筒１０は、弾性材料例えばシリコンゴムからなり、中心部に貫通孔１４が貫設されている。毛髪着脱筒１２は、同様に弾性材料からなり、中心部に毛髪固着孔１６が貫通しており、その一端は図４に示すように、毛髪保持筒１０の貫通孔１４に押し込むことができる、
【００１８】
ＥＸを取り付けるには、図５に示したニードル１８を用い、貫通孔１４の付け毛側から地肌側に向けて、ニードル１８のループ部２０を貫通する。その際、ループ部２０の開閉部２２は指でおさえてループ２０を細くした状態で貫通する。貫通孔１４をループ部２０が貫通したら、図６に示すようにループ２０の開閉部２２を開いて自毛束２４をループ２０内に取り込む。
【００１９】
次いで、ループを閉じてからループ部２０の開閉部２２は指でおさえてループを細くした状態で付け毛側へニードル１８を引き抜くと、図２に示すように自毛束２４が貫通孔１４の中へ引き込まれ、地肌側から付け毛側に挿通される。
【００２０】
次に、毛髪着脱筒１２の中心部に貫設した毛髪固着孔１６の着脱端側からニードル１８のループ部２０を差し込む。その際、ループ部２０の開閉部２２は指でおさえてループ２０を細くした状態で貫通する。毛髪固着孔１６をループ部２０が貫通したら、図６に示すようにループ２０の開閉部２２を開いて人工毛髪束２６をループ２０内に取り込む。
【００２１】
次いで、ループを閉じてからループ部２０の開閉部２２は指でおさえてループを細くした状態で着脱端側へニードル１８を引き抜くと、図３に示すように人工毛髪束２４の一端が毛髪固着孔１６の中へ引き込まれる。毛髪固着孔１６の中に引き込まれた人工毛髪２６の一端は毛髪固着孔１６に接着剤で固着される。
【００２２】
毛髪着脱筒１２は、図４に示すように、毛髪保持筒１０の貫通孔１４の付け毛側から押し込むと、貫通孔１４内に引き込まれている自毛束２４は貫通孔１４と毛髪着脱筒１２の間に挟まれて貫通孔１４の中に固定されると共に、人工毛髪束２６が毛髪着脱筒１２を介して毛髪保持筒１０に取り付けられる。この毛髪着脱筒１２は着脱自在であって、強く引っ張ることにより毛髪保持筒１０の貫通孔１４から引き抜くことができる。
【図面の簡単な説明】
【００２３】
【図１】毛髪保持筒と毛髪着脱筒の断面図
【図２】自毛束を通した状態の毛髪保持筒の断面図
【図３】人工毛髪束を固定した状態の毛髪着脱筒の断面図
【図４】自毛束を保持した毛髪保持筒に人工毛髪束を固定した毛髪着脱筒を固着した状態の断面図である。
【図５】ニードルの側面図
【図６】ループを開口した状態のニードルの側面図
【符号の説明】
【００２４】
１０・・・・・毛髪保持筒
１２・・・・・毛髪固着筒
１４・・・・・貫通孔
１６・・・・・毛髪固着孔
１８・・・・・ニードル
２０・・・・・ループ部
２２・・・・・開閉部
２４・・・・・自毛束
２６・・・・・人工毛髪束